(57)【要約】      （修正有）【課題】安定した状態で容易に設置できると共に、ガードレールを容易かつ確実に支持でき、しかも、ガードレールとの間の植栽も容易に設けられるガードレール用基礎ブロックの設置構造を提供する。【解決手段】基礎ブロック１の低壁部３によって、安定した状態で容易に設置できると共に、立ち上がり壁部５の支柱用支持孔部４によって、ガードレール２とガードレール２を支える支柱２ａを容易に支持できる。予め、立ち上がり壁部５に、立ち上がりが高く成形することで十分な空間を確保して形成された植栽用空間部６によって、植栽８を容易で確実に設けることができる。各植栽用空間部６は、支柱用支持孔部４の両側において、ガードレール２側の上部が開口していると共に、二つの空間形状およびその位置が対称となるように形成しているので、立ち上がり壁部５とガードレール２との間隙に、植栽８を体裁良く容易で確実に配置できるように、構成する。【選択図】図１
2011174371.tif 000002
【特許請求の範囲】
【請求項１】
ガードレールの支柱を支持する基礎ブロックをガードレールの延設方向へ隣接して複数配置してなるガードレール用基礎ブロックの設置構造であって、前記ガードレール用基礎ブロックは、前記設置を安定化させる低壁部と、この低壁部の一端から立ち上がっている共に、前記支柱を支持する支柱用支持孔部が形成されている立ち上がり壁部とから断面略Ｌ字状に一体成形されており、前記立ち上がり壁部には、その立ち上がりが高く成形されており、上端部に前記ガードレールが設けられている前記支柱の下端部を挿入する支柱用支持孔部が形成されていると共に、この支柱用支持孔部の両側に前記ガードレール側の上部が開口している植栽用空間部が形成されているガードレール用基礎ブロックであり、前記ガードレール用基礎ブロックの設置構造は、前記ガードレール用基礎ブロックの植栽用空間部がガードレールの下に設置され、立ち上がり壁部とガードレールとの間隙が植栽されるようにした設置構造であることを特徴とするガードレール用基礎ブロックの設置構造。
【発明の詳細な説明】
【技術分野】
【０００１】
この発明は、例えば、道路の路肩等に並べて設置し、道路に沿って設けるガードレールの支柱を支持するガードレール用基礎ブロックの設置構造に関するものである。
【背景技術】
【０００２】
ガードレール用の基礎ブロックとしては、例えば、ガードレールの支柱を支持できるように構成して立設している前壁と、この前壁の下端部に設けられている低版とから断面略Ｌ字状に一体成形されているものが知られている（特開２００５−２１３８５２号公報参照）。
【０００３】
一方、コンクリート製の帯状基礎部材と、この帯状基礎部材の内部に所定間隔で複数設置されており、ガードレールの支柱を支持する支持ブロックとを備えている。そして、各支持ブロックの間隙を植栽用の空間として利用されているものが知られている（特開平７−３００８３０号公報参照）。
【０００４】
【特許文献１】特開２００５−２１３８５２号公報
【特許文献２】特開平７−３００８３０号公報
【発明の開示】
【発明が解決しようとする課題】
【０００５】
前述した従来の基礎ブロックでは、安定した状態で容易に設置すると共に、ガードレールの支柱を所定位置で容易に支持することはできる。しかし、この基礎ブロックでは、植栽用の空間を形成するのが面倒であり、ガードレールとの間に植栽を容易に設けることができなかった。
【０００６】
そのため、この従来の基礎ブロックでは、その立ち上がり壁部分とガードレールとの間が、単に空間になっており、例えば、運転者の目には味気ないものになっていた。
【０００７】
この発明は前述した事情に鑑みて創案されたもので、その目的は安定した状態で容易に設置できると共に、ガードレールを容易かつ確実に支持でき、しかも、ガードレールとの間の植栽も容易に設けることができるガードレール用基礎ブロックを用いたガードレール用基礎ブロックの設置構造を提供することにある。
【０００８】
この発明でのガードレール用基礎ブロックは、ガードレールの延設方向へ隣接しての複数の設置を安定化させる低壁部と、この低壁部の一端から立ち上がっていると共に、ガードレールの支柱を支持する支柱用支持孔部が形成されている立ち上がり壁部とから断面略Ｌ字状に一体成形されている。
【０００９】
そして、立ち上がり壁部には、その立ち上がりが高く成形されており、上端部にガードレールが設けられている支柱の下端部を挿入する支柱用支持孔部が形成されていると共に、この支柱用支持孔部の両側に植栽用空間部が形成されている。
【００１０】
このようなこの発明での基礎ブロックによれば、低壁部によって、安定した状態で容易に設置できると共に、立ち上がり壁部の支柱用支持孔部によって、ガードレールの支柱（ガードレール）を容易に支持することができる。また、予め、立ち上がり壁部に、立ち上がりが高く成形することで十分な空間を確保して形成されている植栽用空間部によって、植栽を容易で確実に設けることができる。
【００１１】
しかも、この発明での基礎ブロックは、立ち上がり壁部の各植栽用空間部は、支柱用支持孔部の両側において、ガードレール側の上部が開口していると共に、二つの空間形状およびその位置が対称となるように形成しているのが好ましい。また、このようなこの発明での基礎ブロックによれば、立ち上がり壁部の各植栽用空間部は、立ち上がりが高く成形されていると共に、ガードレール側の上部が開口している。
【００１２】
そのため、立ち上がり壁部とガードレールとの間隙に、植栽を体裁良く、容易で確実に配置したガードレール用基礎ブロックの設置構造とすることができる。
【発明の効果】
【００１３】
この発明のガードレール用基礎ブロックの設置構造によれば、用いる基礎ブロックの低壁部によって、安定した状態で容易に設置できると共に、立ち上がり壁部の支柱用支持孔部によって、ガードレールの支柱（ガードレール）を容易に支持することができる。また、予め、立ち上がり壁部に、立ち上がりを高く成形することで十分な空間を確保して形成されている植栽用空間部によって、植栽を容易で確実に設けた構造とすることができる。
【００１４】
しかも、この発明のガードレール用基礎ブロックの設置構造によれば、基礎ブロックの立ち上がり壁部の各植栽用空間部は、支柱用支持孔部の両側において、ガードレール側の上部が開口していると共に、好ましくは二つの空間形状およびその位置が対称となるような構造に形成している。また、この立ち上がり壁部の各植栽用空間部は、立ち上がりを高く成形していると共に、ガードレール側の上部が開口した構造としている。
【００１５】
そのため、立ち上がり壁部とガードレールとの間隙に、植栽を容易で確実に配置したガードレール用基礎ブロックの設置構造とすることができる。
【発明を実施するための最良の形態】
【００１６】
［実施例１］
図１はこの発明のガードレールの基礎ブロックを示す概略図であり、図１（ａ）は基礎ブロックを示す概略図、図１（ｂ）は図１（ａ）のＡ−Ａ線断面図、図１（ｃ）は図１（ａ）のＢ−Ｂ線断面図で、図２はこの発明の基礎ブロックの使用状態を示す斜視図で、図３はこの発明の基礎ブロックの連結部を示す部分拡大図である。
【００１７】
そして、各図において、符号１は基礎ブロックで、２はガードレールで、３は低壁部で、４は支柱用支持孔部で、５は立ち上がり壁部で、６は植栽用空間部である。
【００１８】
ガードレール２の延設方向へ隣接して複数設置し、そのガードレール２の支柱２ａを支持する基礎ブロック１（図１参照）は、設置を安定化させる低壁部３と、この低壁部３の一端から立ち上がっていると共に、支柱２ａを支持する支柱用支持孔部４が形成されている立ち上がり壁部５とから断面略Ｌ字状に一体成形されている。
【００１９】
この実施形態での立ち上がり壁部５には、その立ち上がりが高く成形されており、上端部にガードレール２が設けられている支柱２ａの下端部を挿入する支柱用支持孔部４が形成されていると共に、この支柱用支持孔部４の両側に植栽用空間部６が形成されている。
【００２０】
この実施形態での立ち上がり壁部５の各植栽用空間部６は、支柱用支持孔部４の両側において、ガードレール２側の上部が開口していると共に、二つの空間形状およびその位置が対称となるように形成している。
【００２１】
この実施形態での低壁部３には、その両端部に、図１（ｂ）に示すように、連結用壁部７が設けられている。そして、図３に示すように、この連結用壁部７を用いると共に、連結ボルト９や間詰めコンクリート１０を用いることで、連結すべき両基礎ブロック１を連結している。
【００２２】
また、この実施形態での各植栽用空間部６には、図１（ｃ）に示すように、土１１を充填した後、ガードレール２側上部の開口に種々の植物１２を植えている。
【００２３】
このようなこの発明での基礎ブロック１を、図２に示すように、ガードレール２の延設方向へ隣接して複数設置する場合には、低壁部３によって、安定した状態で容易に設置できると共に、立ち上がり壁部５の支柱用支持孔部４によって、ガードレール２の支柱２ａ（ガードレール２）を容易に支持することができる。また、予め、立ち上がり壁部５に、立ち上がりが高く成形することで十分な空間を確保して形成されている植栽用空間部６によって、植栽８を容易で確実に設けることができる。
【００２４】
しかも、この発明での基礎ブロック１は、立ち上がり壁部５の各植栽用空間部６は、支柱用支持孔部４の両側において、ガードレール２側の上部が開口していると共に、二つの空間形状およびその位置が対称となるように形成している。即ち、この発明での基礎ブロック１によれば、立ち上がり壁部５の各植栽用空間部６を利用して、図２に示すように、立ち上がり壁部５とガードレール２との間隙に、見た目の良い植栽８を容易で確実に配置することができる。
【００２５】
図３は、低壁部３の両端部の連結用壁部７を用いての連結状態を示している。このようにすることで、連結すべき両基礎ブロック１を確実強固に容易に連結することができる。
【図面の簡単な説明】
【００２６】
【図１】図１はこの発明のガードレールの基礎ブロックを示す概略図であり、図１（ａ）は基礎ブロックを示す概略図で、図１（ｂ）は図１（ａ）のＡ−Ａ線矢視図で、図１（ｃ）は図１（ａ）のＢ−Ｂ線断面図である。
【図２】この発明のガードレールの基礎ブロックの使用状態を示す斜視図である。
【図３】この発明のガードレールの基礎ブロックの連結部を示す部分拡大図である。
【符号の説明】
【００２７】
１  基礎ブロック
２  ガードレール
２ａ  支柱
３  低壁部
４  支柱用支持孔部
５  立ち上がり壁部
６  植栽用空間部
７  連結用壁部
８  植栽
９  連結ボルト
１０  間詰めコンクリート
１１  土
１２  植物
【図１】
2011174371.tif 000003
【図２】
2011174371.tif 000004
【図３】
2011174371.tif 000005